【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
象徴情報(personification information)を無線電話のユーザに提供するためのシステムであって、
第１の個人と、１人以上の他の個人グループ間の関係の存在を特定し、そして、前記第１の個人と、前記１人以上の他の個人との間の関係があることが特定されるときに、前記第１の個人に関する象徴情報を前記１人以上の他の個人に送信する手段を備えた前記システム。
【請求項２】
前記象徴情報は、ユーザに関連した写真を含むことを特徴とする請求項１に記載のシステム。
【請求項３】
前記象徴情報は、ユーザに関連した着信音を含むことを特徴とする請求項１に記載のシステム。
【請求項４】
前記象徴情報は、ユーザに関連したロケーションを含むことを特徴とする請求項１に記載のシステム。
【請求項５】
前記象徴情報は、ユーザの電話上に連絡が該ユーザと通信する時に表示されることを特徴とする請求項１に記載のシステム。
【請求項６】
前記象徴情報は、ユーザ連絡データであることを特徴とする請求項１に記載のシステム。
【請求項７】
連絡情報が、ユーザ名、ユーザ電子メールアドレス、ユーザ電話番号、ユーザの実際の住所、ユーザの誕生日、インスタントメッセンジャーユーザ識別子のうちの少なくとも１つを含むことを特徴とする請求項１に記載のシステム。
【請求項８】
前記象徴情報は、音声付き又はなしのビデオクリップを含むことを特徴とする請求項１に記載のシステム。
【請求項９】
前記電話上に提供されたクライアントアプリケーションを含むことを特徴とする請求項１に記載のシステム。
【請求項１０】
前記クライアントアプリケーションは、エンティティマネージャを含むことを特徴とする請求項９に記載のシステム。
【請求項１１】
前記クライアントアプリケーションは、電話データストアに象徴情報を記憶することを特徴とする請求項９に記載のシステム。
【請求項１２】
前記クライアントアプリケーションは、クライアントデータストアに象徴情報を記憶することを特徴とする請求項９に記載のシステム。
【請求項１３】
前記クライアントアプリケーションは、同期化サーバと通信する同期化クライアントを含むことを特徴とする請求項９に記載のシステム。
【請求項１４】
前記クライアントアプリケーションは、ユーザインタフェースコントローラを含むことを特徴とする請求項９に記載のシステム。
【請求項１５】
前記ユーザインタフェースは、管理インタフェースを含むことを特徴とする請求項１４に記載のシステム。
【請求項１６】
前記ユーザインタフェースは、前記象徴情報のための電話ディスプレイコントローラを含むことを特徴とする請求項１４に記載のシステム。
【請求項１７】
象徴情報を有するデータストアとＩＤ管理アプリケーションとを含む、少なくとも１つのクライアントと通信することができる高度識別サーバを含むことを特徴とする請求項１に記載のシステム。
【請求項１８】
前記管理アプリケーションは、ペルソナマネージャを含むことを特徴とする請求項１７に記載のシステム。
【請求項１９】
前記管理アプリケーションは、デジタルメディア権利マネージャを含むことを特徴とする請求項１７に記載のシステム。
【請求項２０】
前記サーバは、ユーザ管理インタフェースを含むことを特徴とする請求項１７に記載のシステム。
【請求項２１】
前記管理アプリケーションは、ユーザ関係マネージャを含むことを特徴とする請求項１７に記載のシステム。
【請求項２２】
前記サーバは、通信プロトコルサーバを含むことを特徴とする請求項１７に記載のシステム。
【請求項２３】
象徴情報の少なくとも２つの部分集合を含み、第１の部分集合は、第１のユーザに提供され、第２の部分集合は、第２のユーザに提供されることを特徴とする請求項１に記載のシステム。
【請求項２４】
無線装置上のサービス加入者を識別する方法であって、
ユーザを他のユーザに対して識別する情報を含む加入者ペルソナ(persona)を確立する段階と、
前記サービス加入者と、前記無線装置に関連する個人との間の関係の存在を、前記サービス加入者及び個人に関連する前記無線装置のアドレス帳に含まれている情報に基づいて特定する段階と、
前記無線装置への呼出しを前記サービス加入者から受信した時に、該無線装置上に前記ペルソナの少なくとも一部分を表示する段階と、
を含むことを特徴とする方法。
【請求項２５】
前記確立する段階は、
ペルソナ情報をユーザインタフェースに提供する段階、
を含む、
ことを特徴とする請求項２４に記載の方法。
【請求項２６】
前記識別する段階は、加入者連絡リストとユーザ連絡リストの間で連絡情報を適合させる段階を含むことを特徴とする請求項２４に記載の方法。
【請求項２７】
前記表示する段階は、情報をユーザ装置にダウンロードして、該情報をユーザインタフェース上に出力する段階を含むことを特徴とする請求項２４に記載の方法。
【請求項２８】
前記表示する段階は、第１のペルソナを第１のユーザ装置に、かつ第２のペルソナを第２のユーザ装置にダウンロードする段階を含むことを特徴とする請求項２４に記載の方法。
【請求項２９】
前記ペルソナに規定されたような呼出しの受信を防ぐように前記装置を制御する段階を更に含むことを特徴とする請求項２４に記載の方法。
【請求項３０】
前記ペルソナに基づいて呼出しの開始を防ぐように前記別の加入者の装置を制御する段階を更に含むことを特徴とする請求項２４に記載の方法。
【請求項３１】
高度な発呼者識別サービスを提供する方法であって、
ユーザによって提供された該ユーザを他のユーザに対して識別する加入者ペルソナ情報のストアを保持する段階と、
加入者間の確立された関係に基づいてペルソナ情報を他人に配信する段階と、
を含むことを特徴とする方法。
【請求項３２】
ペルソナ情報を表示するためにクライアントアプリケーションを無線装置に配信する段階を更に含むことを特徴とする請求項３１に記載の方法。
【請求項３３】
方法に対する料金を請求する段階を更に含むことを特徴とする請求項３１に記載の方法。
【請求項３４】
加入者に対して加入者アカウントを確立し、加入者に対して少なくとも１つのペルソナを受信する段階を更に含むことを特徴とする請求項３１に記載の方法。
【請求項３５】
ペルソナを確立した加入者間にリンクを確立し、該リンクに基づいて基本ペルソナを配信する段階を更に含むことを特徴とする請求項３１に記載の方法。
【請求項３６】
少なくとも１つのデフォルトペルソナを提供する段階を更に含むことを特徴とする請求項３１に記載の方法。
【請求項３７】
ユーザ名、ユーザ電子メールアドレス、電話番号、実際の住所、誕生日、インスタントメッセンジャーユーザ識別子、及び動画、及び着信音、及び画像のうちの少なくとも１つを含むペルソナ情報を受信する段階を更に含むことを特徴とする請求項３１に記載の方法。
【請求項３８】
前記ペルソナ情報は、ロケーション情報を含むことを特徴とする請求項３１に記載の方法。
【請求項３９】
前記ロケーション情報は、ＧＰＳ情報を含むことを特徴とする請求項３８に記載の方法。
【請求項４０】
前記ロケーション情報は、ユーザ選択可能な細分性を含むことを特徴とする請求項３８に記載の方法。
【請求項４１】
第２加入者のペルソナ情報に基づいて第１加入者の電話を制御するために、ペルソナ情報を解釈するクライアントアプリケーションを配信して該第１加入者の電話を制御する段階を更に含むことを特徴とする請求項３１に記載の方法。
【請求項４２】
少なくとも１人の他の加入者に対する象徴情報のストアと、
象徴情報を電話インタフェースに提供する表示インタフェースと、
を含むことを特徴とする、加入者電話上のアプリケーション。
【請求項４３】
クライアントアプリケーションが、エンティティマネージャを含むことを特徴とする請求項４２に記載のシステム。
【請求項４４】
クライアントアプリケーションが、電話データストアに象徴情報を記憶することを特徴とする請求項４２に記載のシステム。
【請求項４５】
クライアントアプリケーションが、クライアントデータストアに象徴情報を記憶することを特徴とする請求項４２に記載のシステム。
【請求項４６】
クライアントアプリケーションが、同期化サーバと通信する同期化クライアントを含むことを特徴とする請求項４２に記載のシステム。
【請求項４７】
クライアントアプリケーションが、ユーザインタフェースコントローラを含むことを特徴とする請求項４２に記載のシステム。
【請求項４８】
ユーザインタフェースが、管理インタフェースを含むことを特徴とする請求項４７に記載のシステム。
【請求項４９】
ユーザインタフェースが、前記象徴情報のための電話ディスプレイコントローラを含むことを特徴とする請求項４７に記載のシステム。
【請求項５０】
複数の加入者に対する象徴情報のストアと、
加入者による電話呼び出しと無関係の象徴情報を配信する、配信システム管理アプリケーションと、
を含むことを特徴とする、通信システムのためのアプリケーションサーバ。
【請求項５１】
前記管理アプリケーションは、ペルソナマネージャを含むことを特徴とする請求項５０に記載のサーバ。
【請求項５２】
前記管理アプリケーションは、デジタルメディア権利マネージャを含むことを特徴とする請求項５０に記載のサーバ。
【請求項５３】
ユーザ管理インタフェースを含むことを特徴とする請求項５０に記載のサーバ。
【請求項５４】
前記管理アプリケーションは、ユーザ関係マネージャを含むことを特徴とする請求項５０に記載のサーバ。
【請求項５５】
「ＳｙｎｃＭＬ」サーバを含むことを特徴とする請求項５０に記載のサーバ。
【請求項５６】
ユーザインタフェースサーバを更に含むことを特徴とする請求項５０に記載のサーバ。
【請求項５７】
象徴情報の少なくとも２つの部分集合を含み、第１の部分集合は、第１のユーザに提供され、第２の部分集合は、第２のユーザに提供されることを特徴とする請求項５０に記載のサーバ。
【請求項５８】
メディアトランスコーダを含むことを特徴とする請求項５０に記載のサーバ。
【請求項５９】
前記メディアトランスコーダは、フォーマット変換アプリケーションを含むことを特徴とする請求項５８に記載のサーバ。
【請求項６０】
前記メディアトランスコーダは、ユーザ装置に基づいてメディアフォーマットを選択するフォーマット選択エンジンを含むことを特徴とする請求項５８に記載のサーバ。